(57)【特許請求の範囲】
【請求項１】
所定の紙を保持するペーパ保持機構より引き出された紙を所定長さに切断する切断機構を備え、
前記切断機構は、
前記ペーパ保持機構より引き出された紙を支持する支持部と、
前記支持部にて支持された紙の移動に伴い当該紙を押圧するローラ部と、
前記ローラ部を前記支持部側に押圧することによって、当該ローラ部を前記支持部と密着させる押え部と、を備え、
前記ペーパ保持機構より引き出された紙は、前記支持部と前記ローラ部との間に配設され、
前記押え部は、前記紙を所定長さに切断する切断刃が設けられ、
前記切断刃にて、前記紙を所定長さに切断する際、前記押え部によって、前記ローラ部が前記支持部側に押圧され、当該ローラ部が前記支持部に密着されてなるペーパホルダ。
【請求項２】
前記押え部には、前記ローラ部を前記支持部側に押圧する側に単数又は複数の突起が設けられてなる請求項１に記載のペーパホルダ。
【請求項３】
前記支持部の一端側は、切断機構本体に回動可能に取り付けられ、
前記支持部の他端側は、切断機構本体に係止手段によって係脱自在に取り付けられてなる請求項１又は２に記載のペーパホルダ。
【請求項４】
前記切断機構は、前記切断刃にて、前記紙を所定長さに切断する際、前記押え部によって前記支持部側に押圧された前記ローラ部が、当該支持部側より離間する方向へ移動しないように阻止する移動阻止部をさらに備えてなる請求項１〜３の何れか１項に記載のペーパホルダ。
【発明の詳細な説明】
【技術分野】
【０００１】
本発明は、片手でトイレットペーパ等の紙を簡単容易に切断可能なペーパホルダに関する。
【背景技術】
【０００２】
従来、トイレに設置されているペーパホルダとして、図１１に示すようなものが知られている。このペーパホルダは、軸１０１に筒状の芯材１００に紙Ｐａが捲回されたトイレットペーパＰが回転自在に保持され、このトイレットペーパＰの上側に断面が略円弧形状の板体１０２が配設されている。そして、この板体１０２は、基端部１０２ａ側が軸１０３により回動可能に配設されており、紙Ｐａを切断する際、一方の手Ｔａで、その板体１０２を下方に押え、他方の手Ｔｂで、この紙Ｐａを引いて板体１０２の先端部１０２ｂで切断するようになっている。
【発明の概要】
【発明が解決しようとする課題】
【０００３】
しかしながら、このようなペーパホルダは、紙Ｐａを切断するにあたって、両手を使わなければならず、使い勝手が非常に悪いという問題があった。
【０００４】
そこで、本発明は、上記問題に鑑み、片手でトイレットペーパ等の紙を簡単容易に切断可能なペーパホルダを提供することを目的としている。
【課題を解決するための手段】
【０００５】
上記本発明の目的は、以下の手段によって達成される。なお、括弧内は、後述する実施形態の参照符号を付したものであるが、本発明はこれに限定されるものではない。
【０００６】
請求項１の発明によれば、所定の紙（Ｐａ）を保持するペーパ保持機構（１，１Ａ）より引き出された紙（Ｐａ）を所定長さに切断する切断機構（２，２Ａ）を備え、
前記切断機構（２，２Ａ）は、
前記ペーパ保持機構（１，１Ａ）より引き出された紙（Ｐａ）を支持する支持部（支持部材２１，２２Ａ）と、
前記支持部（支持部材２１，２２Ａ）にて支持された紙（Ｐａ）の移動に伴い当該紙（Ｐａ）を押圧するローラ部（ローラ部材２４，２３Ａ）と、
前記ローラ部（ローラ部材２４，２３Ａ）を前記支持部（支持部材２１，２２Ａ）側に押圧することによって、当該ローラ部（ローラ部材２４，２３Ａ）を前記支持部（支持部材２１，２２Ａ）と密着させる押え部（押え板２６，２６Ａ）と、を備え、
前記ペーパ保持機構（１，１Ａ）より引き出された紙（Ｐａ）は、前記支持部（支持部材２１，２２Ａ）と前記ローラ部（ローラ部材２４，２３Ａ）との間に配設され、
前記押え部（押え板２６，２６Ａ）は、前記紙（Ｐａ）を所定長さに切断する切断刃（２６ｃ，２６Ａｃ）が設けられ、
前記切断刃（２６ｃ，２６Ａｃ）にて、前記紙（Ｐａ）を所定長さに切断する際、前記押え部（押え板２６，２６Ａ）によって、前記ローラ部（ローラ部材２４，２３Ａ）が前記支持部（支持部材２１，２２Ａ）側に押圧され、当該ローラ部（ローラ部材２４，２３Ａ）が前記支持部（支持部材２１，２２Ａ）に密着されてなることを特徴としている。
【０００７】
また、請求項２の発明によれば、上記請求項１に記載のペーパホルダにおいて、前記押え部（押え板２６，２６Ａ）には、前記ローラ部（ローラ部材２４，２３Ａ）を前記支持部（支持部材２１，２２Ａ）側に押圧する側に単数又は複数の突起（ストッパ２６ｄ，２６Ａｄ）が設けられてなることを特徴としている。
【０００８】
一方、請求項３の発明によれば、上記請求項１又は２に記載のペーパホルダにおいて、前記支持部（支持部材２１，２２Ａ）の一端（一端部２１ａ、２２Ａａ）側は、切断機構本体（２０，２０Ａ）に回動可能に取り付けられ、
前記支持部（支持部材２１，２２Ａ）の他端（他端部２１ｂ，２２Ａｂ）側は、切断機構本体（２０，２０Ａ）に係止手段（２３，軸部２２Ａｂ１，溝孔２０Ａａ３）によって係脱自在に取り付けられてなることを特徴としている。
【０００９】
他方、請求項４の発明によれば、上記請求項１〜３の何れか１項に記載のペーパホルダにおいて、前記切断機構（２Ａ）は、前記切断刃（２６Ａｃ）にて、前記紙（Ｐａ）を所定長さに切断する際、前記押え部（押え板２６Ａ）によって前記支持部（支持部材２２Ａ）側に押圧された前記ローラ部（ローラ部材２３Ａ）が、当該支持部（支持部材２２Ａ）側より離間する方向へ移動しないように阻止する移動阻止部（２８）をさらに備えてなることを特徴としている。
【発明の効果】
【００１０】
次に、本発明の効果について、図面の参照符号を付して説明する。なお、括弧内は、後述する実施形態の参照符号を付したものであるが、本発明はこれに限定されるものではない。
【００１１】
請求項１に係る発明によれば、支持部（支持部材２１，２２Ａ）によって、ペーパ保持機構（１，１Ａ）より引き出された紙（Ｐａ）が支持され、その支持された紙（Ｐａ）が、支持部（支持部材２１，２２Ａ）とローラ部（ローラ部材２４，２３Ａ）との間に配設される。これにより、支持された紙（Ｐａ）の端を簡単に掴むことができ、さらには、当該支持された紙（Ｐａ）の端を探す必要が無くなる。
【００１２】
また本発明によれば、紙（Ｐａ）を切断刃（２６ｃ）にて、所定長さに切断する際、押え部（押え板２６，２６Ａ）によって、ローラ部（ローラ部材２４，２３Ａ）が支持部（支持部材２１，２２Ａ）側に押圧され、もって、ローラ部（ローラ部材２４，２３Ａ）が支持部（支持部材２１，２２Ａ）に密着されることとなるから、紙（Ｐａ）が移動できない状態となる。これにより、片手で簡単に紙（Ｐａ）を所定長さに切断することができる。
【００１３】
請求項２に係る発明によれば、押え部（押え板２６，２６Ａ）には、ローラ部（ローラ部材２４，２３Ａ）を支持部（支持部材２１，２２Ａ）側に押圧する側に単数又は複数の突起（ストッパ２６ｄ，２６Ａｄ）が設けられてなるから、押え部（押え板２６，２６Ａ）によって、ローラ部（ローラ部材２４，２３Ａ）が押圧され、当該ローラ部（ローラ部材２４，２３Ａ）が支持部（支持部材２１，２２Ａ）に密着される際、密着力を高めることができ、もって、紙（Ｐａ）がより移動出来ない状態となり、これによって、片手でより簡単に紙（Ｐａ）を所定長さに切断することができる。
【００１４】
一方、請求項３に係る発明によれば、支持部（支持部材２１，２２Ａ）とローラ部（ローラ部材２４，２３Ａ）との間に、ペーパ保持機構（１，１Ａ）より引き出された紙（Ｐａ）を配設させる際、係止手段（２３，軸部２２Ａｂ１，溝孔２０Ａａ３）によって、支持部（支持部材２１，２２Ａ）の他端（他端部２１ｂ，２２Ａｂ）側の係止を切断機構本体（２０，２０Ａ）より解放した後、支持部（支持部材２１，２２Ａ）とローラ部（ローラ部材２４，２３Ａ）との間に、ペーパ保持機構（１，１Ａ）より引き出された紙（Ｐａ）を配設し、その後、係止手段（２３，軸部２２Ａｂ１，溝孔２０Ａａ３）によって、支持部（支持部材２１，２２Ａ）の他端（他端部２１ｂ，２２Ａb）側を切断機構本体（２０，２０Ａ）に係止させればよいから、ペーパ保持機構（１，１Ａ）より引き出された紙（Ｐａ）の配設が容易となる。
【００１５】
他方、請求項４に係る発明によれば、切断機構（２Ａ）は、切断刃（２６Ａｃ）にて、紙（Ｐａ）を所定長さに切断する際、押え部（押え板２６Ａ）によって支持部（支持部材２２Ａ）側に押圧されたローラ部（ローラ部材２３Ａ）が、当該支持部（支持部材２２Ａ）側より離間する方向へ移動しないように阻止する移動阻止部（２８）を備えているから、トイレットペーパ（Ｐ）の紙（Ｐａ）を、より移動出来ないようにすることができる。
【図面の簡単な説明】
【００１６】
【図１】本発明の第１実施形態に係るペーパホルダの斜視図である。
【図２】同実施形態に係るペーパホルダの縦断面図である。
【図３】同実施形態に係る支持部材の他端側を下方から見た図である。
【図４】同実施形態に係るペーパホルダの一使用例を示す切断機構の縦断面図を示し、（ａ）は支持部材の他端部を切断機構本体から解放した状態を示し、（ｂ）は支持部材の他端部を切断機構本体に係止し、紙を移動させている状態を示し、（ｃ）は（ｂ）にて移動させた紙を切断刃によって切断する状態を示す図である。
【図５】本発明の他の実施形態に係るペーパホルダの縦断面図である。
【図６】本発明の第２実施形態に係るペーパホルダの斜視図である。
【図７】本発明の同実施形態に係るペーパホルダの一部正面図である。
【図８】同実施形態に係るペーパホルダの縦断面図である。
【図９】同実施形態に係るペーパホルダの一使用例を示す切断機構の縦断面概略図を示し、（ａ）は支持部材の他端部を切断機構本体から解放した状態を示し、（ｂ）は支持部材の他端部を切断機構本体に係止しようとしている状態を示し、（ｃ）は支持部材の他端部を切断機構本体に係止した状態を示す図である。
【図１０】同実施形態に係るペーパホルダの一使用例を示す切断機構の縦断面概略図を示し、（ａ）は、紙を移動させている状態を示し、（ｂ）は（ａ）にて移動させた紙を切断刃によって切断する状態を示す図である。
【図１１】従来のペーパホルダの斜視図である。
【発明を実施するための形態】
【００１７】
＜第１実施形態＞
以下、本発明に係るペーパホルダの第１実施形態を図１〜図４を参照して具体的に説明する。なお、以下の説明において、上下左右の方向を示す場合は、図示正面から見た場合の上下左右をいうものとする。
【００１８】
まず、図１〜図３を用いて、本実施形態に係るペーパホルダの構成を説明する。なお、従来のペーパホルダと同一部材については、同一符号を付し説明することとする。
【００１９】
図１に示すように、本実施形態に係るペーパホルダＨは、ペーパ保持機構１と、切断機構２とが一体的に構成されている。ペーパ保持機構１は、筒状の芯材１００に捲回された紙ＰａからなるトイレットペーパＰが軸１０１に回転可能に保持されている。そして、このトイレットペーパＰの上側に、断面が略円弧形状の板体１０２が配設されており、この板体１０２の基端部１０２ａ側が軸１０３により回動自在に配設されている。
【００２０】
一方、切断機構２は、図１に示すように、左壁部２０ａと、右壁部２０ｂと、後壁部２０ｃとで構成されたコ字状の切断機構本体２０を備えている。この後壁部２０ｃは、図１及び図２に示すように、板体１０２の基端部１０２ａと連設されており、もって、ペーパ保持機構１と、切断機構２とが一体的に構成されることとなる。
【００２１】
一方、切断機構本体２０の左右壁部２０ａ，２０ｂの内壁面には、図１及び図２に示すように、湾曲状の支持部材２１が取り付けられている。この支持部材２１の一端部２１ａ内には、棒状の軸部材２２が取り付けられており、切断機構本体２０の左右壁部２０ａ，２０ｂの後端部側（図２の右端部側）に回転可能に取り付け固定されている。これにより、上記支持部材２１の一端部２１ａが、切断機構本体２０の左右壁部２０ａ，２０ｂの後端部側（図２の右端部側）に、当該軸部材２２を基点として、図２に示す矢印Ｙ１方向に、回転可能に取り付け固定されることとなる。また、支持部材２１の他端部２１ｂは、図２に示すように、切断機構本体２０の左右壁部２０ａ，２０ｂの前端部側（図２の左端部側）に係止手段２３によって、係脱自在に取り付けられている。なお、支持部材２１の他端部２１ｂ上面には、図２に示すように、後述する格子状のストッパ２１ｃが（図示では複数）突設されている。
【００２２】
この係止手段２３は、図２及び図３に示すように、支持部材２１の他端部２１ｂ下側に取り付けられており、図３に示すように、歯車２３ａと、一対の爪片２３ｂとで構成されている。この歯車２３ａの中心部には、摘み部２３ａ１が突設しており、この摘み部２３ａ１を図３に示す矢印Ｙ２方向，Ｙ３方向に回動させると、それに合せて歯車２３ａが矢印Ｙ２方向，Ｙ３方向に回動するようになっている。そして、一対の爪片２３ｂは、略直線状に形成され、一端部２３ｂ１が、切断機構本体２０の左右壁部２０ａ，２０ｂ内に出没自在に取り付けられている。そして、爪片２３ｂの他端部２３ｂ２には、歯車２３ａに噛合する凹凸形状の複数の噛合突起２３ｂ３が突設されており、これら噛合突起２３ｂ３が歯車２３ａに噛合するように当該爪片２３ｂの他端部２３ｂ２が起伏され、当該歯車２３ａの外周を取り囲むように配設されている。これにより、摘み部２３ａ１を矢印Ｙ２方向に移動させると、歯車２３ａが矢印Ｙ２方向に回動し、もって、その回動によって、噛合突起２３ｂ３と歯車２３ａが噛み合いながら、爪片２３ｂを、図３に示す実線位置から破線位置に移動させることとなる。そしてその移動によって、爪片２３ｂの一端部２３ｂ１が実線位置から破線位置に移動することとなり、もって、支持部材２１の他端部２１ｂが切断機構本体２０の左右壁部２０ａ，２０ｂ内の係止から解放されこととなる。これにより、支持部材２１が、軸部材２２を基点として、図２に示す矢印Ｙ１方向に回動し、もって、図２に示すように、支持部材２１が実線位置から破線位置に移動することとなる。
【００２３】
一方、摘み部２３ａ１を矢印Ｙ３方向に移動させると、歯車２３ａが矢印Ｙ３方向に回動し、もって、その回動によって、噛合突起２３ｂ３と歯車２３ａが噛み合いながら、爪片２３ｂを、図３に示す破線位置から実線位置に移動させることとなる。そしてその移動によって、爪片２３ｂの一端部２３ｂ１が破線位置から実線位置に移動することとなり、もって、支持部材２１の他端部２１ｂが切断機構本体２０の左右壁部２０ａ，２０ｂ内に係止されこととなる。これにより、支持部材２１が、図２に示す実線位置に、配設されることとなる。
【００２４】
かくして、このように形成される支持部材２１の上面には、図２に示すように、ペーパ保持機構１の後端側（板体１０２の基端部１０２ａ側）より引き出されたトイレットペーパＰの紙Ｐａが支持されるようになっている。そして、このように支持されたトイレットペーパＰの紙Ｐａを支持部材２１との間で挟み込むローラ部材２４（図２参照）が切断機構本体２０の左右壁部２０ａ，２０ｂに設けられている。
【００２５】
このローラ部材２４は、図１及び図２に示すように、円柱状に形成され、その外周面には、格子状の押圧突起２４ａが（図示では複数）突設されている。そして、ローラ部材２４の中心位置には、軸方向に向って軸部材２４ｂが一体的に形成されており、この軸部材２４ｂが切断機構本体２０の左右壁部２０ａ，２０ｂの内壁面に形成されている長孔２５内に挿通されている。そしてこの軸部材２４ｂは、図２に示すように、支持部材２１の他端部２１ｂ上部側に位置する切断機構本体２０の左右壁部２０ａ，２０ｂ内に回転可能に取り付け固定されることにより、ローラ部材２４は、軸部材２４ｂを基点として、支持部材２１の他端部２１ｂ上部側に位置する切断機構本体２０の左右壁部２０ａ，２０ｂ内に回転可能に取り付け固定されることとなる。また、軸部材２４ｂは、長孔２５内に挿通されていることから、ローラ部材２４は、軸部材２４ｂを基点として、上下動できるようになっている（図２に示す破線位置，実線位置参照）。
【００２６】
かくして、このように形成されるローラ部材２４は、図２に示すように、支持部材２１の他端部２１ｂ側に支持されているトイレットペーパＰの紙Ｐａを、支持部材２１の他端部２１ｂ側上面と挟み込むように配設されており、図２に示す矢印Ｙ４方向にトイレットペーパＰの紙Ｐａを移動させると、軸部材２４ｂを基点として、ローラ部材２４が回動しながら上下動することによって（図２に示す破線位置，実線位置参照）、ローラ部材２４の外周面に突設されている押圧突起２４ａによってトイレットペーパＰの紙Ｐａが押圧されることとなる。これにより、トイレットペーパＰの紙Ｐａに凹凸形状が形成され、もって、トイレットペーパＰの紙Ｐａが伸びて柔らかくなり、所定長さに切断する際、切断し易くなる。また、お尻の肌触りが良くなるという効果も奏する。
【００２７】
ところで、このように凹凸形状が形成されたトイレットペーパＰの紙Ｐａを所定長さに切断するにあたっては、押え板２６（図１，図２参照）によって、所定長さに切断されることとなる。この押え板２６は、図１及び図２に示すように、厚板矩形状に形成されており、一端部２６ａ内には、棒状の軸部材２７（図２参照）が取り付けられており、この軸部材２７が、切断機構本体２０の左右壁部２０ａ，２０ｂの前端部側（図２の左端部側）、すなわち、ローラ部材２４の前上部側（図２の左上部側）に回転可能に取り付け固定されている。これにより、上記押え板２６の一端部２６ａが、切断機構本体２０の左右壁部２０ａ，２０ｂの前端部側（図２の左端部側）、すなわち、ローラ部材２４の前上部側（図２の左上部側）に、当該軸部材２７を基点として、図２に示す矢印Ｙ５方向に、回転可能に取り付け固定されることとなる。また、押え板２６の一端部２６ａの下面には、図２に示すように、格子状のストッパ２６ｄが（図示では単数）突設されている。そして、押え板２６の他端部２６ｂには、図１に示すように、トイレットペーパＰの紙Ｐａを所定長さに切断可能な切断刃２６ｃが形成されている。
【００２８】
かくして、このように形成される押え板２６は、常時は、図２に示す実線位置に位置しており、凹凸形状が形成されたトイレットペーパＰの紙Ｐａを所定長さに切断する際、当該紙Ｐａを、図２に示す矢印Ｙ６方向に移動させると、それに伴い、押え板２６が、軸部材２７を基点として、矢印Ｙ５方向に回動し、破線位置まで移動することとなる。この際、押え板２６の一端部２６ａの下面に突設されている格子状のストッパ２６ｄが、ローラ部材２４を押圧し、それに伴い、ローラ部材２４が、支持部材２１の他端部２１ｂ上面に密着されることとなり、もって、トイレットペーパＰの紙Ｐａが、移動できないように固定されることとなる。そして、より密着性を高めるため、支持部材２１の他端部２１ｂ上面には、図２に示すように、格子状のストッパ２１ｃが（図示では複数）突設されている。これにより、ローラ部材２４が、格子状のストッパ２１ｃ，２６ｄによって、支持部材２１の他端部２１ｂ上面に密着されることとなり、もって、トイレットペーパＰの紙Ｐａが、より移動できないように固定されることとなる。
【００２９】
しかして、このようにトイレットペーパＰの紙Ｐａが移動できない状態にすることにより、切断刃２６ｃによって、片手で簡単に凹凸形状が形成されたトイレットペーパＰの紙Ｐａを所定長さに切断することができる。なお、格子状のストッパ２１ｃ，２６ｄは単数でも複数でもよい。さらには、設けなくとも良いが、支持部材２１とローラ部材２４の密着性を高め、もって、所定の紙Ｐａがより移動出来ない状態となり、これによって、片手でより簡単に凹凸形状が形成された紙Ｐａを所定長さに切断することができるため、設けた方が好ましい。
【００３０】
ここで、上記のように構成されるペーパホルダＨの一使用例を、図４を参照して具体的に説明する。まず、図４（ａ）に示すように、ペーパ保持機構１にて保持されているトイレットペーパＰから引き出された紙Ｐａを支持部材２１の上面に支持させるにあたって、切断機構本体２０の左右壁部２０ａ，２０ｂ内に係止手段２３によって係止されている支持部材２１の他端部２１ｂを解放し、軸部材２２を基点として、矢印Ｙ１方向に回動させ、支持部材２１を図４（ａ）に示す位置に位置させておく。なお、切断機構本体２０の左右壁部２０ａ，２０ｂ内に係止手段２３によって係止されている支持部材２１の他端部２１ｂを解放する方法は、上述の通りであるが、再度説明すると、図３に示す摘み部２３ａ１を矢印Ｙ２方向に移動させ、歯車２３ａを矢印Ｙ２方向に回動させる。これにより、噛合突起２３ｂ３と歯車２３ａが噛み合いながら、爪片２３ｂを、図３に示す実線位置から破線位置に移動させ、もって、爪片２３ｂの一端部２３ｂ１が実線位置から破線位置に移動し、支持部材２１の他端部２１ｂが切断機構本体２０の左右壁部２０ａ，２０ｂ内の係止から解放されこととなる。
【００３１】
しかして、この状態で、図４（ａ）に示すように、ローラ部材２４と、支持部材２１との間に、トイレットペーパＰの紙Ｐａを配設させる。そしてその後、図４（ｂ）に示す位置に、支持部材２１の他端部２１ｂを移動させ、係止手段２３によって切断機構本体２０の左右壁部２０ａ，２０ｂ内に係止させる。これにより、ローラ部材２４と、支持部材２１との間に、トイレットペーパＰの紙Ｐａを配設させ易くなるから、支持部材２１にて、トイレットペーパＰの紙Ｐａを支持させ易くなる。また、支持部材２１とローラ部材２４との間にトイレットペーパＰの紙Ｐａを配設させることにより、トイレットペーパＰの紙Ｐａの端を簡単に掴むことができ、さらには、トイレットペーパＰの紙Ｐａの端を探す必要が無くなる。なお、支持部材２１の他端部２１ｂを係止手段２３によって切断機構本体２０の左右壁部２０ａ，２０ｂ内に係止される方法は、上述の通りであるが、再度説明すると、図３に示す摘み部２３ａ１を矢印Ｙ３方向に移動させ、歯車２３ａを矢印Ｙ３方向に回動させる。これにより、噛合突起２３ｂ３と歯車２３ａが噛み合いながら、爪片２３ｂを、図３に示す破線位置から実線位置に移動させ、もって、爪片２３ｂの一端部２３ｂ１が破線位置から実線位置に移動し、支持部材２１の他端部２１ｂが切断機構本体２０の左右壁部２０ａ，２０ｂ内に係止されこととなる。
【００３２】
次いで、この状態で、図４（ｂ）に示すように、矢印Ｙ４方向に、支持部材２１の他端部２１ｂ側に支持されているトイレットペーパＰの紙Ｐａを移動させると、軸部材２４ｂを基点として、ローラ部材２４が回動しながら上下動（実線位置、破線位置参照）することとなる。これにより、ローラ部材２４の外周面に突設されている押圧突起２４ａによってトイレットペーパＰの紙Ｐａが押圧され、もって、当該トイレットペーパＰの紙Ｐａに凹凸形状が形成されることとなる。
【００３３】
次いで、この状態で、図４（ｃ）に示すように、矢印Ｙ６方向に、凹凸形状が形成されたトイレットペーパＰの紙Ｐａを移動させると、それに伴い、押え板２６が、軸部材２７を基点として、図４（ｂ）に示す矢印Ｙ５方向に回動し、図４（ｃ）に示す位置まで移動することとなる。これにより、押え板２６によって、ローラ部材２４が支持部材２１側に押圧され、もって、支持部材２１とローラ部材２４とが密着されることとなる。そしてさらに、押え板２６の一端部２６ａの下面に突設されている格子状のストッパ２６ｄ並びに支持部材２１の他端部２１ｂ上面に突設されている格子状のストッパ２１ｃによって、支持部材２１とローラ部材２４の密着性が高まることとなる。これによって、トイレットペーパＰの紙Ｐａが、移動できないように固定されることとなる。
【００３４】
かくして、このようにトイレットペーパＰの紙Ｐａが移動できない状態にすることにより、切断刃２６ｃによって、片手で簡単に凹凸形状が形成されたトイレットペーパＰの紙Ｐａを所定長さに切断することができる。
【００３５】
しかして、以上説明した本実施形態によれば、支持部材２１によって、ペーパ保持機構１より引き出されたトイレットペーパＰの紙Ｐａが支持され、その支持された紙Ｐａが、支持部材２１とローラ部材２４との間に配設される。これにより、トイレットペーパＰの紙Ｐａの端を簡単に掴むことができ、さらには、トイレットペーパＰの紙Ｐａの端を探す必要が無くなる。
【００３６】
そして、その紙Ｐａが移動すると（図２，図４に示す矢印Ｙ４方向）、ローラ部材２４に形成されている押圧突起２４ａによって、当該紙Ｐａが押圧される。これにより、トイレットペーパＰの紙Ｐａに凹凸形状が形成され、もって、トイレットペーパＰの紙Ｐａが伸びて柔らかくなり、所定長さに切断する際、切断し易くなる。
【００３７】
そして、この押圧された紙Ｐａを切断刃２６ｃにて、所定長さに切断する際、押え板２６によって、ローラ部材２４が支持部材２１側に押圧され、もって、ローラ部材２４が支持部材２１に密着されることとなるから、トイレットペーパＰの紙Ｐａが移動できない状態となる。これにより、片手で簡単に凹凸形状が形成されたトイレットペーパＰの紙Ｐａを所定長さに切断することができる。
【００３８】
なお、本実施形態において示したペーパ保持機構１よりトイレットペーパＰの紙Ｐａを引き出す方向は、あくまで一例であり、図５に示すように、ペーパ保持機構１の前端側より引き出すようにしても良い。
【００３９】
また、ローラ部材２４の外周面に突設されている押圧突起２４ａは、単数でも複数でも良く。さらには、押圧突起２４ａの形状は、格子状に限らず、波状や、半円球のドットなど、どのような形状でも良い。さらに、ストッパ２１ｃ，２６ｄの形状も、格子状に限らず、波状や、半円球のドットなど、どのような形状でも良い。
【００４０】
一方、ペーパ保持機構１、切断機構本体２０、支持部材２１、係止手段２３、ローラ部材２４、押え板２６の形状はあくまで一例であり、特許請求の範囲に記載された本発明の要旨の範囲内において種々の変形・変更が可能である。例えば、以下のような変形・変更が可能である。
【００４１】
＜第２実施形態＞
次に、本発明に係るペーパホルダの第２実施形態を図６〜図１０を参照して具体的に説明する。なお、以下の説明において、上下左右の方向を示す場合は、図示正面から見た場合の上下左右をいうものとする。なお、第１実施形態と同一の構成には同一の符号を付し説明は省略することとする。
【００４２】
まず、本実施形態に係るペーパホルダの構成を説明する。
【００４３】
図６に示すように、本実施形態に係るペーパホルダＨＡは、ペーパ保持機構１Ａと、このペーパ保持機構１Ａに取付け固定されている切断機構２Ａとで構成されている。ペーパ保持機構１Ａは、図６及び図８に示すように、天板１０Ａと、左側板１０Ｂと、右側板１０Ｃと、背板１０Ｄとで構成された前面及び下面が開放された中空状の箱体からなるものである。このペーパ保持機構１Ａの空間には、図６〜図８に示すように、トイレットペーパＰが収納できるようになっており、ペーパ保持機構１Ａの前面より収納或いは取出しできるようになっている。
【００４４】
一方、切断機構２Ａは、図６〜図８に示すように、左壁部２０Ａａと、右壁部２０Ａｂとで構成された前後面及び上下面が開放された中空状の切断機構本体２０Ａを備えている。この左壁部２０Ａａは、図８に示すように、当該左壁部２０Ａａの上壁面２０Ａａ１側がペーパ保持機構１Ａの左側板１０Ｂの下面側に図示しないビス等によって取付け固定され、そして、右壁部２０Ａｂも同様に、図６及び図７に示すように、当該右壁部２０Ａｂの上壁面２０Ａｂ１側がペーパ保持機構１Ａの右側板１０Ｃの下面側に図示しないビス等によって取付け固定されている。これにより、切断機構２Ａがペーパ保持機構１Ａに取付け固定されることとなる。
【００４５】
一方、切断機構本体２０Ａの左右壁部２０Ａａ，２０Ａｂの上壁面２０Ａａ１，２０Ａｂ１間には、一対の回転部材２１Ａが適当間隔をあけて横架され、この一対の回転部材２１Ａの両側面より突設されている軸部２１Ａａが左右壁部２０Ａａ，２０Ａｂの上壁面２０Ａａ１，２０Ａｂ１間に回転可能なように取付け固定されている。そして、この一対の回転部材２１Ａ上には、図６〜図８に示すように、ペーパ保持機構１Ａの空間に収納されたトイレットペーパＰが載置されている。これにより、トイレットペーパＰをペーパ保持機構１Ａの空間内に保持することができることとなる。また、図８に示すように、トイレットペーパＰから紙Ｐａを引き出すと、当該トイレットペーパＰは矢印Ｙ１０方向に回転することとなるが、これに合せて一対の回転部材２１Ａも回転することとなるから、紙ＰａをトイレットペーパＰから引き出し易くなるという利点がある。
【００４６】
また、切断機構本体２０Ａの左右壁部２０Ａａ，２０Ａｂの内壁下壁面間には、図７及び図８に示すように、偏平状の支持部材２２Ａが、切断機構本体２０Ａの左右壁部２０Ａａ，２０Ａｂの傾斜状下面に沿うように（平行となるように）取り付けられている。この支持部材２２Ａは、図８に示すように、両側面の一端部２２Ａａより円柱状の軸部２２Ａａ１が突設されており、この軸部２２Ａａ１が、切断機構本体２０Ａの左右壁部２０Ａａ，２０Ａｂの内壁下壁面後部２０Ａｃ側に形成されている傾斜状の長孔２０Ａａ２内にスライド可能及び回転可能なように挿通されている。これにより、支持部材２２Ａの一端部２２Ａａは、軸部２２Ａａ１が長孔２０Ａａ２内をスライドすることによって、この軸部２２Ａａ１を基点として左右方向に移動することができ（図９（ａ）の矢印Ｙ１２参照）、さらに、この軸部２２Ａａ１が長孔２０Ａａ２内で回転することによって、この軸部２２Ａａ１を基点として回転移動することができることとなる（図９（ｂ）の矢印Ｙ１３参照）。
【００４７】
一方、図７及び図８に示すように、支持部材２２Ａの両側面の他端部２２Ａｂからも円柱状の軸部２２Ａｂ１が突設されており、この軸部２２Ａｂ１が、切断機構本体２０Ａの左右壁部２０Ａａ，２０Ａｂの内壁下壁面前部側に形成されている半楕円状の溝孔２０Ａａ３内に挿抜できるようになっている。これにより、支持部材２２Ａの他端部２２Ａｂは、軸部２２Ａｂ１が溝孔２０Ａａ３内に挿通されると、図８に示すように、切断機構本体２０Ａの左右壁部２０Ａａ，２０Ａｂの傾斜状下面に沿う（平行）位置に係止固定され、軸部２２Ａｂ１が溝孔２０Ａａ３内から抜出されると、その係止固定が解除され、図９（ａ），（ｂ）に示すような位置に配設されることとなる。
【００４８】
また、支持部材２２Ａの他端部２２Ａｂの幅方向中央部には、図７に示すように、切欠部２２Ａｃが形成されており、トイレットペーパＰの紙Ｐａが引き出しやすいようになっている。さらに、支持部材２２Ａの他端部２２Ａｂ側には、図８に示すように、幅方向に沿って円弧状の凹部２２Ａｄが形成されており、この凹部２２Ａｄ内に後述するローラ部材２３Ａが嵌め込みできるようになっている。
【００４９】
このローラ部材２３Ａは、図７及び図８に示すように円柱状に形成され、中心位置には、軸方向に向って軸部材２３Ａａが一体的に形成されており、この軸部材２３Ａａが切断機構本体２０Ａの左右壁部２０Ａａ，２０Ａｂの内壁面に形成されている長孔２５内に挿通されている。そしてこの軸部材２３Ａａは、図８に示すように、支持部材２２Ａの凹部２２Ａｄの上部側に位置する切断機構本体２０Ａの左右壁部２０Ａａ，２０Ａｂ内に回転可能に取り付け固定されている。これにより、ローラ部材２３Ａは、軸部材２３Ａａを基点として、支持部材２２Ａの凹部２２Ａｄの上部側に位置する切断機構本体２０Ａの左右壁部２０Ａａ，２０Ａｂ内に回転可能に取り付け固定されることとなる。また、軸部材２３Ａａは、長孔２５内に挿通されていることから、ローラ部材２３Ａは、軸部材２３Ａａを基点として、上下動できるようになっている（図１０（ａ），（ｂ）参照）。
【００５０】
かくして、このように形成されるローラ部材２３Ａは、図８に示すように、支持部材２２Ａの上面に位置しているトイレットペーパＰの紙Ｐａを挟み込むように配設され、矢印Ｙ１１方向にトイレットペーパＰの紙Ｐａを移動させると、軸部材２３Ａａを基点として、ローラ部材２３Ａが回動しながら上下動することとなる。
【００５１】
ところで、このようなトイレットペーパＰの紙Ｐａを所定長さに切断するにあたっては、押え板２６Ａ（図６〜図８参照）によって、所定長さに切断されることとなる。この押え板２６Ａは、図６〜図８に示すように、略厚板矩形状に形成されており、一端部２６Ａａ内には、棒状の軸部材２７（図８参照）が取り付けられており、この軸部材２７が、切断機構本体２０Ａの左右壁部２０Ａａ，２０Ａｂの前端部側（図８の左端部側）、すなわち、ローラ部材２３Ａの前上部側（図８の左上部側）に回転可能に取り付け固定されている。これにより、上記押え板２６Ａの一端部２６Ａａが、切断機構本体２０Ａの左右壁部２０Ａａ，２０Ａｂの前端部側（図８の左端部側）、すなわち、ローラ部材２３Ａの前上部側（図８の左上部側）に、当該軸部材２７を基点として、回転可能（図１０（ｂ）に示す矢印Ｙ１５参照）に取り付け固定されることとなる。また、押え板２６Ａの一端部２６Ａａの下面には、図８に示すように、ストッパ２６Ａｄが一体的に突設されている。そして、押え板２６Ａの他端部２６Ａｂには、図６〜図８に示すように、トイレットペーパＰの紙Ｐａを所定長さに切断可能な切断刃２６Ａｃが形成されている。
【００５２】
かくして、このように形成される押え板２６Ａは、常時は、図６，図８に示すように、切断刃２６Ａｃが切断機構本体２０Ａの左右壁部２０Ａａ，２０Ａｂの前壁部２０Ａｄに載置されることにより、図６〜図８に示す位置に位置し、トイレットペーパＰの紙Ｐａを所定長さに切断する際、当該紙Ｐａを、図１０（ａ）に示すように、切断刃２６Ａｃに接触させ、矢印Ｙ１４方向に移動させると、それに伴い、押え板２６Ａが、軸部材２７を基点として、図１０（ｂ）に示すように、矢印Ｙ１５方向に回動することとなる。この際、押え板２６Ａの一端部２６Ａａの下面に突設されているストッパ２６Ａｄが、ローラ部材２３Ａを押圧し、それに伴い、ローラ部材２３Ａが、図１０（ｂ）に示すように、下方向に移動し、支持部材２２Ａの凹部２２Ａｄ内に嵌め込まれることとなる。これにより、トイレットペーパＰの紙Ｐａが、移動できないように固定されることとなる。
【００５３】
しかして、このようにトイレットペーパＰの紙Ｐａが移動できない状態にすることにより、切断刃２６Ａｃによって、片手で簡単にトイレットペーパＰの紙Ｐａを所定長さに切断することができる。また、トイレットペーパＰの紙Ｐａを所定長さに切断する際、当該紙Ｐａを、図１０（ａ）に示すように、切断刃２６Ａｃに接触させ、矢印Ｙ１４方向に移動させると、それに伴い、押え板２６Ａが、軸部材２７を基点として、図１０（ｂ）に示すように、矢印Ｙ１５方向に回動することとなるから、その分、トイレットペーパＰの紙Ｐａがより引き出されることとなる。これにより、トイレットペーパＰの紙Ｐａを切断した後、トイレットペーパＰの紙Ｐａが切断機構２Ａの前部側より突出される状態となる。それゆえ、トイレットペーパＰの紙Ｐａが掴み易くなる。
【００５４】
ところで、トイレットペーパＰの紙Ｐａをより移動できない状態にするために、支持部材２２Ａの他端部２２Ａｂ側には、移動阻止部２８が設けられている。この移動阻止部２８は、図７，図８に示すように、円柱状の回転軸２８ａと、この回転軸２８ａの両端部に固定されている略矩形状の邪魔板２８ｂとで構成されている。回転軸２８ａは、支持部材２２Ａの他端部２２Ａｂ上面に位置する切断機構本体２０Ａの左右壁部２０Ａａ，２０Ａｂに回転可能に取付け固定されている。そして、邪魔板２８ｂは、回転軸２８ａの両端部より、図７，図８に示すように、支持部材２２Ａの他端部２２Ａｂ側に突出するように設けられている。そしてさらに、図９に示すように、邪魔板２８ｂは、下方部分を僅かに膨らませることで重心をずらし、先端側が若干上方に向くようにしている。これにより、支持部材２２Ａを、図８に示すように、切断機構本体２０Ａの左右壁部２０Ａａ，２０Ａｂの傾斜状下面に沿う（平行）位置に係止固定させる際、邪魔板２８ｂが邪魔になって、係止固定し難いという事態を低減させている。なお、トイレットペーパＰの紙Ｐａを所定長さに切断する際、当該紙Ｐａを、移動させると（図１０（ａ）に示す矢印Ｙ１４方向参照）、それに伴い、邪魔板２８ｂが回転軸２８ａを基点として、回動することとなる（図１０（ａ）に示す矢印Ｙ１６方向参照）。
【００５５】
しかして、紙Ｐａを矢印Ｙ１４方向に移動させた際、当該紙Ｐａがローラ部材２３Ａを上方に移動させようとするが、回転軸２８ａにより、その力が弱まるため、もって、トイレットペーパＰの紙Ｐａを、より移動出来ないようにすることができる。さらに、トイレットペーパＰの紙Ｐａを元の位置に戻すと、それに伴い、邪魔板２８ｂが回転軸２８ａを基点として、自重によって、図１０（ａ）に示す破線位置に戻ろうとすることから、切断刃２６ＡｃにてトイレットペーパＰの紙Ｐａを切断した際、その紙Ｐａが切断刃２６Ａｃに付着したとしても、その付着を容易に引き剥がすことができる。
【００５６】
ここで、上記のように構成されるペーパホルダＨＡの一使用例を、図９〜図１０を参照して具体的に説明する。まず、図９（ａ）に示すように、ペーパ保持機構１Ａにて保持されているトイレットペーパＰから引き出された紙Ｐａを支持部材２２Ａの上面に支持させるにあたって、支持部材２２Ａの他端部２２Ａｂに突設されている軸部２２Ａｂ１を切断機構本体２０Ａの左右壁部２０Ａａ，２０Ａｂの内壁下壁面前部側に形成されている溝孔２０Ａａ３より抜出し、支持部材２２Ａを図９（ａ）に示す位置に位置させておく。
【００５７】
しかして、この状態で、図９（ａ）に示すように、ローラ部材２３Ａと、支持部材２２Ａとの間に、トイレットペーパＰの紙Ｐａを配設させる。そしてその後、図９（ａ）に示すように、支持部材２２Ａの一端部２２Ａａに突設されている軸部２２Ａａ１を長孔２０Ａａ２内で矢印Ｙ１２方向にスライドさせ、支持部材２２Ａを図９（ｂ）に示す破線位置まで移動させる。そしてその状態で、図９（ｂ）に示すように、軸部２２Ａａ１を基点として、支持部材２２Ａを矢印Ｙ１３方向に回動させ、支持部材２２Ａの他端部２２Ａｂに突設されている軸部２２Ａｂ１を切断機構本体２０Ａの左右壁部２０Ａａ，２０Ａｂの内壁下壁面前部側に形成されている溝孔２０Ａａ３内に挿通し、もって、支持部材２２Ａを、図９（ｃ）に示すように、切断機構本体２０Ａの左右壁部２０Ａａ，２０Ａｂの傾斜状下面に沿う（平行）位置に係止固定する。
【００５８】
次いで、この状態で、図１０（ａ）に示すように、紙Ｐａを切断刃２６Ａｃに接触させ、矢印Ｙ１４方向に、支持部材２２Ａの他端部２２Ａｂ側に支持されているトイレットペーパＰの紙Ｐａを移動させると、それに伴い、押え板２６Ａが、軸部材２７を基点として、図１０（ｂ）に示す矢印Ｙ１５方向に回動し、ローラ部材２３Ａが支持部材２２Ａ側に押圧され、もって、ローラ部材２３Ａが、下方向に移動し、支持部材２２Ａの凹部２２Ａｄ内に嵌め込まれることとなる。そしてさらに、紙Ｐａを切断刃２６Ａｃに接触させる際、移動阻止部２８の邪魔板２８ｂが回転軸２８ａを基点として回動する（図１０（ａ）に示す矢印Ｙ１６方向参照）。しかして、このように、回転軸２８ａを設けることにより、紙Ｐａがローラ部材２３Ａを上方に移動させようとする力が弱まるため、もって、トイレットペーパＰの紙Ｐａが、移動できないようにより固定されることとなる。
【００５９】
かくして、このようにトイレットペーパＰの紙Ｐａが移動できない状態にすることにより、切断刃２６Ａｃによって、片手で簡単にトイレットペーパＰの紙Ｐａを所定長さに切断することができる。
【００６０】
また、トイレットペーパＰの紙Ｐａを、図１０（ａ）に示すように、切断刃２６Ａｃに接触させ、矢印Ｙ１４方向に移動させると、それに伴い、押え板２６Ａが、軸部材２７を基点として、図１０（ｂ）に示すように、矢印Ｙ１５方向に回動することとなるから、その分、トイレットペーパＰの紙Ｐａがより引き出されることとなる。これにより、トイレットペーパＰの紙Ｐａを切断した後、トイレットペーパＰの紙Ｐａが切断機構２Ａの前部側より突出される状態となる。それゆえ、トイレットペーパＰの紙Ｐａが掴み易くなる。さらに、トイレットペーパＰの紙Ｐａを元の位置に戻すと、それに伴い、邪魔板２８ｂが回転軸２８ａを基点として、自重によって、図１０（ａ）に示す破線位置に戻ろうとすることから、切断刃２６ＡｃにてトイレットペーパＰの紙Ｐａを切断した際、その紙Ｐａが切断刃２６Ａｃに付着したとしても、その付着を容易に引き剥がすことができる。
【００６１】
しかして、以上説明した本実施形態によれば、支持部材２２Ａによって、ペーパ保持機構１Ａより引き出されたトイレットペーパＰの紙Ｐａが支持され、その支持された紙Ｐａが、支持部材２２Ａとローラ部材２３Ａとの間に配設される。これにより、トイレットペーパＰの紙Ｐａの端を簡単に掴むことができ、さらには、トイレットペーパＰの紙Ｐａの端を探す必要が無くなる。
【００６２】
そして、切断刃２６Ａｃにて、所定長さに切断する際、押え板２６Ａによって、ローラ部材２３Ａが支持部材２２Ａ側に押圧され、もって、ローラ部材２３Ａが支持部材２２Ａに密着されることとなるから、トイレットペーパＰの紙Ｐａが移動できない状態となる。これにより、片手で簡単にトイレットペーパＰの紙Ｐａを所定長さに切断することができる。
【００６３】
なお、本実施形態において示したペーパ保持機構１ＡよりトイレットペーパＰの紙Ｐａを引き出す方向は、あくまで一例であり、ペーパ保持機構１Ａの前端側より引き出すようにしても良い（図５参照）。
【００６４】
また、ペーパ保持機構１Ａ、切断機構本体２０Ａ、支持部材２２Ａ、ローラ部材２３Ａ、押え板２６Ａ、移動阻止部２８の形状はあくまで一例であり、特許請求の範囲に記載された本発明の要旨の範囲内において種々の変形・変更が可能である。
【００６５】
ところで、第１実施形態及び第２実施形態では、トイレットペーパを例示したが、それに限らず、キッチンペーパ等どのようなものでも良い。
【００６６】
また、第１実施形態及び第２実施形態では、ペーパホルダが、ペーパ保持機構と切断機構を備える例を示したが、それに限らず、ペーパ保持機構は既に設置されているものを利用し、切断機構のみで構成しても良い。
【符号の説明】
【００６７】
Ｈ，ＨＡ          ペーパホルダ
Ｐ                トイレットペーパ
Ｐａ              紙
１，１Ａ          ペーパ保持機構
２，２Ａ          切断機構
２０，２０Ａ      切断機構本体
２０Ａａ３        溝孔（係止手段）
２１，２２Ａ      支持部材（支持部）
２１ａ，２２Ａａ  （支持部材の）一端部
２１ｂ，２２Ａｂ  （支持部材の）他端部
２２Ａｂ１        軸部（係止手段）
２３              係止手段
２４，２３Ａ      ローラ部材（ローラ部）
２６，２６Ａ      押え板（押え部）
２６ｃ，２６Ａｃ  切断刃
２６ｄ，２６Ａｄ  ストッパ（突起）
【図１】
0006691433.tif 000002
【図２】
0006691433.tif 000003
【図３】
0006691433.tif 000004
【図４】
0006691433.tif 000005
【図５】
0006691433.tif 000006
【図６】
0006691433.tif 000007
【図７】
0006691433.tif 000008
【図８】
0006691433.tif 000009
【図９】
0006691433.tif 000010
【図１０】
0006691433.tif 000011
【図１１】
0006691433.tif 000012